(57)【要約】【課題】本発明は、貝の出し入れ時に縫い糸を抜いたり縫い直したりしなくてよい、各段に入っている貝の重さで下段との隙間が自動的に塞がれる丸篭を提供する。【解決手段】本発明の丸篭は、４本の吊下げロープ５により前記口枠２の十字枠１との結合部にそれぞれ結び目６を形成して前記底枠３の網目を通過して下段の丸篭の口枠２にそれぞれ結び目６を形成して連結し、同様にして上下多段に多数個連続して連結される。したがって、前記吊下げロープ５に固定されるのは前記丸篭の口枠２のみで、前記底枠３、即ち底枠３の底面は固定されないので自由に上下動し、口枠２と底枠３との前記隙間（貝の出し入れ部）１０を利用して貝の出し入れを行うことができる。【選択図】図１
2010246420.tif 000002
【特許請求の範囲】
【請求項１】
耐水性被膜で覆われた鉄線材から形成された十字枠と該十字枠先端に接続された円環状の口枠と、前記十字枠及び口枠から所定間隔を空け、前記口枠と同材質及び同形状を有する底枠と、前記口枠と前記底枠との間の外周囲を被いかつ前記底枠の底面を蓋う収納網とから構成されることを特徴とする丸篭。
【請求項２】
耐水性被膜で覆われた鉄線材から形成された十字枠と該十字枠先端に接続された円環状の口枠と、前記十字枠及び口枠から所定間隔を空け、前記口枠と同材質及び同形状を有する底枠と、前記口枠と前記底枠との間の外周囲を被いかつ前記底枠の底面を蓋う収納網とから構成され、吊下げロープにより前記口枠と十字枠との結合部に結び目を形成して前記底枠の網目を通過して下段の丸篭の口枠にそれぞれ結び目を形成して上下連結し、多段に複数個連結されることを特徴とする請求項１記載の丸篭。
【請求項３】
前記丸篭の最上段には、耐水性被膜で覆われた鉄線材から形成された円環状の蓋枠と該蓋枠を蓋う蓋網とから蓋体が形成され、該蓋体の蓋網及び前記底枠の底面は、前記十字枠の中心部又は口枠の一部に紐により固定されることを特徴とする請求項２記載の丸篭。
【発明の詳細な説明】
【技術分野】
【０００１】
本発明は、海中に吊り下げてホタテ養殖等に使用される丸篭に関する。
【背景技術】
【０００２】
従来、ホタテ養殖等に使用されている養殖篭は、四角錘（通称稚貝篭、ザブトン篭、角ネット他）または円柱型（通称丸篭、段篭、連段篭他）のものがある。
丸篭は稚貝篭に比べ貝の出し入れが容易なため作業に要する時間が短く、経費や労力が軽減できるという長所がある。丸篭に使用する網地は主に蛙又編みとラッセル編みがあるが、蛙又編みは単糸で構成されており、海中での付着物がラッセル編みより少なく、養殖貝はより多くのプランクトンを摂取できるため成長が早いという利点がある。
蛙又編みはほとんどが菱目、ラッセル編みは全量角目である。菱目は変形するため、特
に篭の側面にある開口部を糸で閉じるときは、両側の網地を引っ張りながら縫わなければならない。作業には熟練が必要で、時間もかかり、また無理に引っ張ると破網することもある。成長と作業性を考えて蛙又編みの角目網を作ったが、菱目網を角目に仕立て直す工程が増え、高価なものとなってしまうためあまり普及していない。
従って、付着物が少なく貝の成長が早い蛙又編みの利点と、作業の熟練が必要ないなどのラッセル編みの利点を兼ね備え、かつ経済的な篭が求められてきた。
【０００３】
従来、複数段に配置された支持枠と、この支持枠の外側に取付けられた網状物から成る外囲と、上記支持枠に取付けられ、上記外囲内に複数段の収納室を形成する網状物から成る棚と、上記外囲の胴部に軸心方向に沿って観音開き式に開閉し得るように形成された連段養殖かごが知られている（特許文献１を参照）。
また、適当長さと適当幅を有する下網地に、前記下網地と等幅若しくは幅狭で適当長さの上網地を若干の間隔を配して適数段にわたり重畳し、上部に適宜の長さを残して各上網地の両側を下網地に固定してポケットを形成した養殖かごが知られている（特許文献２を参照）。
【先行技術文献】
【特許文献】
【０００４】
【特許文献１】特許第３３８０８６５号公報
【特許文献２】特開２００５-８７１７９号公報
【発明の概要】
【発明が解決しようとする課題】
【０００５】
本発明は、貝の出し入れ時に縫い糸を抜いたり縫い直したりしなくてよく、各段に入っている貝の重さで下段との隙間が自動的に塞がれる丸篭を提供することを目的とする。
【課題を解決するための手段】
【０００６】
本発明の丸篭は、耐水性被膜で覆われた鉄線材から形成された十字枠と該十字枠先端に接続された円環状の口枠と、前記十字枠及び口枠から所定間隔を空け、前記口枠と同材質及び同形状を有する底枠と、前記口枠と前記底枠との間の外周囲を被いかつ前記底枠の底面を蓋う収納網とから構成されるものである。
本発明の丸篭は、耐水性被膜で覆われた鉄線材から形成された十字枠と該十字枠先端に接続された円環状の口枠と、前記十字枠及び口枠から所定間隔を空け、前記口枠と同材質及び同形状を有する底枠と、前記口枠と前記底枠との間の外周囲を被いかつ前記底枠の底面を蓋う収納網とから構成され、吊下げロープにより前記口枠と十字枠との結合部に結び目を形成して前記底枠の網目を通過して下段の丸篭の口枠にそれぞれ結び目を形成して上下連結し、多段に複数個連結されるものである。
前記丸篭の最上段には、耐水性被膜で覆われた鉄線材から形成された円環状の蓋枠と該蓋枠を蓋う蓋網とから蓋体が形成され、該蓋体の蓋網及び前記底枠の底面は、前記十字枠の中心部又は口枠の一部に紐により固定されるものである。
【発明の効果】
【０００７】
本発明の丸篭は、丸篭の側面に貝の出し入れ部がなく、貝の出し入れ時に縫い糸を抜いたり縫い直したりしなくてよいため、作業効率が上がり経費削減ができる。
本発明の丸篭は、各段に入っている貝の重さで下段との隙間（貝の出し入れ部）が自動的に塞がれ、作業を要することなく貝の脱落を防止できる。
本発明の丸篭は、破損時には破損部分（破損丸篭）だけの交換が可能なため、作業効率と経費削減の効果がある。
本発明の丸篭は、注文を受けてから製造するのではなく、事前に１段篭を作っておけるので受注から納品までの期間が短く、急な注文にも対応できる。
本発明の丸篭は、各段毎に違う規格の篭を連結することができるため、海域や時期等に合わせ、様々な要望の篭を作れる。
【図面の簡単な説明】
【０００８】
【図１】本発明の丸篭の上部部分を示す一部省略拡大斜視図である。
【図２】本発明の丸篭の上部部分を示す一部省略拡大正面図である。
【図３】本発明の丸篭に貝を入れない状態の全体概略斜視図である。
【図４】本発明の丸篭に貝を入れた状態の全体概略斜視図である。
【発明を実施するための形態】
【０００９】
本発明の丸篭の一実施例を添付図面に基づいて、以下に説明する。
図１に示すように、本発明の丸篭は、耐水性被膜で覆われた鉄線材から形成された十字枠１と該十字枠１先端に接続された円環状の口枠２と、前記十字枠及び口枠から所定間隔を空け、前記口枠２と同材質及び同形状を有する底枠３と、前記口枠２と前記底枠３の外周囲を被いかつ前記底枠３の底面を蓋う収納網４とから構成される。
【００１０】
前記丸篭は、４本の吊下げロープ５により前記口枠２の十字枠１との結合部にそれぞれ結び目６を形成して前記底枠３の網目を通過して下段の丸篭の口枠２にそれぞれ結び目６を形成して連結し、同様にして上下多段に多数個連続して連結される。
したがって、前記吊下げロープ５に固定されるのは前記丸篭の口枠２のみで、前記底枠３、即ち収納網４の底面は固定されないので自由に上下動することができる。
前記丸篭の最上段には、耐水性被膜で覆われた鉄線材から形成された円環状の蓋枠７と該蓋枠７を蓋う蓋網８とから蓋体９が形成される。海域の状況により、蓋網８の中心部を十字枠１に、又は蓋枠７の一部を口枠２に紐等で固定することもできる。
前記蓋体９の蓋網８及び前記底枠３の底面が、前記十字枠１の中心部又は口枠２の一部に紐により固定された場合でも、図２に示すように前記蓋体９の蓋枠７を持上げると隙間（貝の出し入れ部）１０が形成される。
なお、図１には前記蓋体９の蓋網８の一部を口枠２に固定したものを示す。
【００１１】
次に、本発明の丸篭の操作動作を添付図面に基づいて、以下に説明する。
図３に示すように、４本の吊下げロープ５により上下多段に多数個連続して本発明の丸篭が連結され、前記吊下げロープ５に固定されるのは前記丸篭の口枠２のみで、前記底枠３の底部は固定されないので自由に上下動することができる。
そのため、それぞれの丸篭の間には貝の出し入れのための隙間（貝の出し入れ部）１０が形成される。
したがって、底枠３の底部と口枠２との前記隙間（貝の出し入れ部）１０を利用して貝の出し入れを行うことができる。
貝が収納された丸篭は、吊下げた時に貝の重みで底枠３の底部が下がり、図４に示すように上段の底枠３の底部が下段の口枠２を自動的に塞ぐため、閉じ糸で縫うような作業を必要としない。
【符号の説明】
【００１２】
１  十字枠
２  口枠
３  底枠
４  収納枠
５  吊下げロープ
６  結び目
７  蓋枠
８  蓋網
９  蓋体
１０  隙間
【図１】
2010246420.tif 000003
【図２】
2010246420.tif 000004
【図３】
2010246420.tif 000005
【図４】
2010246420.tif 000006
【手続補正書】
【提出日】平成21年7月7日(2009.7.7)
【手続補正１】
【補正対象書類名】特許請求の範囲
【補正対象項目名】全文
【補正方法】変更
【補正の内容】
【特許請求の範囲】
【請求項１】
耐水性被膜で覆われた鉄線材から形成された十字枠と該十字枠先端に接続された円環状の口枠と、前記十字枠及び口枠から所定間隔を空け、前記口枠と同材質及び同形状を有する底枠と、前記口枠と前記底枠との間の外周囲を被いかつ前記底枠の底面を蓋う収納網とから構成され、吊下げロープにより前記口枠の十字枠との結合部に結び目を形成して前記底枠の網目を通過して下段の丸篭の口枠にそれぞれ結び目を形成して上下連結し、多段に複数個連結されることを特徴とする丸篭。
【請求項２】
前記丸篭の最上段には、耐水性被膜で覆われた鉄線材から形成された円環状の蓋枠と該蓋枠を蓋う蓋網とから蓋体が形成され、該蓋体の蓋網及び前記底枠の底面は、前記十字枠の中心部又は口枠の一部に紐により固定されることを特徴とする請求項１記載の丸篭。
【手続補正２】
【補正対象書類名】明細書
【補正対象項目名】００１２
【補正方法】変更
【補正の内容】
【００１２】
１  十字枠
２  口枠
３  底枠
４  収納網
５  吊下げロープ
６  結び目
７  蓋枠
８  蓋網
９  蓋体
１０  隙間